(57)【要約】【課題】原稿を読み取る部材を搭載した筐体のがたつきを抑制できる画像読取装置を得る。【解決手段】画像読取装置１０は、原稿台１４に載せられた原稿を読み取るときに原稿の一端部から他端部へ読取装置本体５０を搭載して移動させる収容部材３０であって、円柱状の案内部材２２に下方から支持されて原稿の一端部から他端部へ移動する収容部材３０と、収容部材３０の底の下面側に締結具によって締結され、摺動性が良い樹脂を含んで構成され、案内部材に接触する接触部を有する被案内部材４０と、を備え、被案内部材４０は、原稿を読み取るときの移動方向における上流側で案内部材２２に接触する第１受部４４と移動方向における下流側で案内部材２２に接触する第２受部４６とを有し、第１受部４４と第２受部４６とは、一体に形成されており、締結具は、移動方向における第１受部４４と第２受部４６との間に配置されている。【選択図】図３
2020188506.tif 000002
【特許請求の範囲】
【請求項１】
原稿台に載せられた原稿を読み取るときに前記原稿の一端部から他端部へ前記原稿を読み取る部材を搭載して移動させる筐体であって、円柱状の案内部材に下方から支持されて前記原稿の一端部から他端部へ移動する筐体と、
前記筐体の底の下面側に締結具によって締結され、摺動性が良い樹脂を含んで構成され、前記案内部材に接触する接触部を有する被案内部材と、
を備え、
前記被案内部材は、前記原稿を読み取るときの移動方向における上流側で前記案内部材に接触する上流側接触部と前記移動方向における下流側で前記案内部材に接触する下流側接触部とを有し、
前記上流側接触部と前記下流側接触部とは、一体に形成されており、
前記締結具は、前記移動方向における前記上流側接触部と前記下流側接触部との間に配置されている、画像読取装置。
【請求項２】
前記被案内部材は、前記移動方向における前記下流側接触部よりも下流側において、前記締結具とは異なる締結具によって前記筐体の底の下面側に、締結された、請求項１に記載の画像読取装置。
【請求項３】
前記締結具は、前記原稿を読み取るときの移動方向における、互いに異なる位置に複数設けられている、請求項１又は請求項２に記載の画像読取装置。
【請求項４】
前記筐体は、前記筐体を移動させるための移動部材に固定された固定部を備え、前記固定部と前記被案内部材とは別体として形成されている、請求項１〜請求項３の何れか１項に記載の画像読取装置。
【請求項５】
前記筐体は、前記移動方向における上流側に、前記移動方向に向けた壁面を有する壁部を有し、
前記移動方向における前記上流側接触部と前記壁部との間を連結する支持部を有する請求項１〜請求項４の何れか１項に記載の画像読取装置。
【請求項６】
前記上流側接触部と前記下流側接触部とで前記案内部材に接触する箇所の個数は互いに異なる請求項１〜請求項５のいずれか１項に記載の画像読取装置。
【請求項７】
前記被案内部材はポリアセタールを含んで構成されている請求項１〜請求項６のいずれか１項に記載の画像読取装置。
【請求項８】
前記原稿を読み取る部材に取り付けられ、前記原稿台に接することで前記原稿を読み取る部材の高さ方向の位置決めがされる凸部を備えた請求項１〜請求項７の何れか１項に記載の画像読取装置。
【発明の詳細な説明】
【技術分野】
【０００１】
本発明は、画像読取装置に関する。
【背景技術】
【０００２】
コンタクトイメージセンサーユニット（ＣＩＳユニット）を搭載するキャリッジハウジングに設けられたベース部材が、ガイドシャフトに周方向の３点で接触するように構成された原稿読取装置は、従来から知られている（例えば、特許文献１参照）。
【先行技術文献】
【特許文献】
【０００３】
【特許文献１】特開２００５−８６４８２号公報
【発明の概要】
【発明が解決しようとする課題】
【０００４】
本発明は、原稿を読み取る部材を搭載した筐体の移動時のがたつきを抑制できる画像読取装置を得ることを目的とする。
【課題を解決するための手段】
【０００５】
本開示の第１の態様に係る画像読取装置は、原稿台に載せられた原稿を読み取るときに前記原稿の一端部から他端部へ前記原稿を読み取る部材を搭載して移動させる筐体であって、円柱状の案内部材に下方から支持されて前記原稿の一端部から他端部へ移動する筐体と、前記筐体の底の下面側に締結具によって締結され、摺動性が良い樹脂を含んで構成され、前記案内部材に接触する接触部を有する被案内部材と、を備え、前記被案内部材は、前記原稿を読み取るときの移動方向における上流側で前記案内部材に接触する上流側接触部と前記移動方向における下流側で前記案内部材に接触する下流側接触部とを有し、前記上流側接触部と前記下流側接触部とは、一体に形成されており、前記締結具は、前記移動方向における前記上流側接触部と前記下流側接触部との間に配置されている。
【０００６】
本開示の第２の態様に係る画像読取装置は、前記被案内部材は、前記移動方向における前記下流側接触部よりも下流側において、前記締結具とは異なる締結具によって前記筐体の底の下面側に、締結されている。
【０００７】
本開示の第３の態様に係る画像読取装置は、前記締結具は、前記原稿を読み取るときの移動方向における、互いに異なる位置に複数設けられている。
【０００８】
本開示の第４の態様に係る画像読取装置は、前記筐体は、前記筐体を移動させるための移動部材に固定された固定部を備え、前記固定部と前記被案内部材とは別体として形成されている。
【０００９】
本開示の第５の態様に係る画像読取装置は、前記筐体は、前記移動方向における上流側に、前記移動方向に向けた壁面を有する壁部を有し、前記移動方向における前記上流側接触部と前記壁部との間を連結する支持部を有する。
【００１０】
本開示の第６の態様に係る画像読取装置は、前記上流側接触部と前記下流側接触部とで前記案内部材に接触する箇所の個数は互いに異なる。
【００１１】
本開示の第７の態様に係る画像読取装置は、前記被案内部材はポリアセタールを含んで構成されている。
【００１２】
本開示の第８の態様に係る画像読取装置は、前記原稿を読み取る部材に取り付けられ、前記原稿台に接することで前記原稿を読み取る部材の高さ方向の位置決めがされる凸部を備えている。
【発明の効果】
【００１３】
本開示の第１の態様に係る画像読取装置によれば、原稿を読み取る部材を搭載した筐体の移動時のがたつきが抑制される。
【００１４】
本開示の第２〜第８の態様に係る画像読取装置によれば、原稿を読み取る部材を搭載した筐体の移動時のがたつきが抑制される。
【図面の簡単な説明】
【００１５】
【図１】画像読取装置を示す斜視図である。
【図２】画像読取装置の内部を示す斜視図である。
【図３】画像読取装置の内部を一部省略して拡大して示す断面図である。
【図４】読取装置本体を収容した収容部材を示す斜視図である。
【図５】読取装置本体を収容した収容部材を一部省略して拡大して示す断面図である。
【図６】第１実施形態に係るガイド部材を示す斜視図である。
【図７】（Ａ）第１実施形態に係るガイド部材の平面接触部を示す側面図である。（Ｂ）第１実施形態に係るガイド部材の曲面接触部を示す側面図である。
【図８】第２実施形態に係るガイド部材を示す斜視図である。
【図９】収容部材に取り付けられた第２実施形態に係るガイド部材を示す底面図である。
【図１０】第２実施形態に係るガイド部材の平面接触部の変形例を示す側面図である。
【発明を実施するための形態】
【００１６】
以下、本発明に係る実施の形態について図面を基に詳細に説明する。なお、各図において、矢印ＵＰを画像読取装置１０の上方向とし、矢印ＦＲを画像読取装置１０の前方向とする。そして、矢印ＲＩを画像読取装置１０の右方向とし、原稿台１４に載せられた原稿を読取装置本体５０が読み取るときの副走査方向（収容部材３０の移動方向）とする。また、原稿台１４に載せられる原稿は、左右方向が長手方向とされる。
【００１７】
図１に示されるように、画像読取装置１０は、筐体１２の上部側に、原稿が載せられる原稿台１４を有している。原稿台１４は、左右方向が長手方向となる長方形状（矩形状）に形成された透明なガラス板であり、カバー体１６によって開閉されるようになっている。このカバー体１６は、原稿台１４よりも一回り大きい長方形状（矩形状）に形成されており、筐体１２の後部側に左右一対で設けられたヒンジ部１５によって上下方向に開閉可能に構成されている。
【００１８】
図２に示されるように、筐体１２の内部（原稿台１４の下方）には、原稿台１４に載せられた原稿を副走査方向（原稿の長手方向一端部から他端部へ）へ移動しつつ読み取る読取装置本体（ＣＩＳユニット）５０が設けられている。図４に示されるように、読取装置本体５０は、原稿の短手方向（原稿の長手方向と直交する方向）の長さ以上の長さとされており、読取装置本体５０の上部で、かつ幅方向（左右方向、副走査方向）中央部には、読取装置本体５０の長手方向に沿った（長手方向に延在する）読取部５２が設けられている。
【００１９】
そして、この読取装置本体５０は、収容部材（キャリッジハウジング）３０内に上方から挿入されて収容されるようになっている。収容部材３０は、前後方向（平面視で副走査方向と直交する方向）が長手方向とされた（原稿の短手方向の長さ以上の長さとされた）筐体であり、その長手方向両端部は、筐体１２に一体に形成された支持台１７（図２参照）に移動可能に支持されている。
【００２０】
そして、図３〜図５に示されるように、収容部材３０の底壁３２の下面側における長手方向略中央部には、後述する金属製のシャフト２２に支持されて案内される被案内部材の一例としてのガイド部材４０が取り付けられている。なお、ガイド部材４０については、後で詳述する。
【００２１】
また、収容部材３０の前壁及び後壁の左右方向略中央下部には、後述するスペーサー６０の係合部７０が高さ方向（上下方向）で係合可能となる被係合部の一例としての開口部３４が形成されている。この開口部３４は、高さ方向が長手方向とされた矩形状に形成されている。
【００２２】
また、図５に示されるように、開口部３４よりも収容部材３０の長手方向内側における底壁３２の上面（底面）両端部で、かつ左右方向略中央部には、後述するコイルスプリング４８の下端部が嵌められるボス部３３が一体に突設されている。このボス部３３は、平面視十字状に形成されており、読取装置本体５０が収容部材３０に収容されたときに、コイルスプリング４８の環状に形成された下端部内に挿入されるようになっている。
【００２３】
収容部材３０に収容される読取装置本体５０の長手方向両端部には、位置決め部材の一例としてのスペーサー６０がそれぞれ装着されている。各スペーサー６０は、一対の脚部６２（図４も参照）を有しており、一対の脚部６２の下端部には、係止部の一例としての爪部６３がそれぞれ形成されている。そして、読取装置本体５０の左側壁及び右側壁における下端部には、爪部６３が係止される被係止部の一例としての切欠部５３がそれぞれ形成されている。
【００２４】
また、図４、図５に示されるように、一対の脚部６２の上端部は、矩形平板状の連結部６４によって一体に連結されている。そして、連結部６４の下面には、読取装置本体５０の上部の長手方向両端部に形成されたボス穴５８に挿入される円柱状のボス部６８が、読取装置本体５０の幅方向（左右方向、副走査方向）に予め決められた間隔を隔てて一体に突設されている。
【００２５】
したがって、図５に示されるように、前後一対として設けられるスペーサー６０は、各ボス穴５８に各ボス部６８が挿入され、一対の脚部６２の下端部に形成された各爪部６３が、読取装置本体５０に形成された各切欠部５３に係止されることにより、読取装置本体５０の長手方向両端部にそれぞれ取り付けられている。
【００２６】
また、図４に示されるように、連結部６４の上面には、読取装置本体５０の長手方向（前後方向）から見て略半円形状となる（略半円板状の）凸部６６が、読取装置本体５０の幅方向（左右方向、副走査方向）に予め決められた間隔を隔てて一体に突設されている（ボス部６８の表裏反対側に凸部６６が形成されている）。
【００２７】
この一対の凸部６６が、予め決められた圧力（後述するコイルスプリング４８の付勢力）で原稿台１４の裏面に副走査方向及び復帰方向へ摺動可能に接触するようになっている（図３参照）。したがって、スペーサー６０は、原稿台１４との摺動性が良好な樹脂材の一例であるポリアセタール（ＰＯＭ）で成形されている。
【００２８】
また、図４、図５に示されるように、スペーサー６０の連結部６４における一方（読取装置本体５０の長手方向外側）の辺縁部の左右方向中央部には、下方へ向かって延在する係合部７０が一体に形成されている。この係合部７０は、読取装置本体５０の前壁及び後壁にそれぞれ対向配置されており、その高さは、読取装置本体５０の高さよりも高くされている。
【００２９】
つまり、係合部７０の下端部（後述する爪部７２）は、読取装置本体５０の下面よりも下方側へ向けて突出されている。そして、その読取装置本体５０の下面よりも下方側へ突出されている下端部が前後方向へ弾性変形可能なように、係合部７０の中途部から下側の板厚が上側の板厚よりも薄く形成されている。この係合部７０の下端部が、収容部材３０の開口部３４に高さ方向で係合可能になっている。
【００３０】
詳細に説明すると、係合部７０の下端部には、読取装置本体５０の長手方向外側へ向かって突出する爪部７２が形成されており、収容部材３０に読取装置本体５０を収容したときに、その爪部７２が開口部３４の上側辺縁部に係合するようになっている。これにより、例えば画像読取装置１０の製造時に、読取装置本体５０が収容された収容部材３０を落下させても、その読取装置本体５０の収容部材３０からの脱落が抑制又は防止される構成になっている。
【００３１】
また、図５に示されるように、読取装置本体５０の下面両端部と収容部材３０の底壁３２の上面（底面）両端部との間には、付勢部材の一例としてのコイルスプリング４８が設けられている。詳細に説明すると、前後一対として設けられるコイルスプリング４８は、上端部が、読取装置本体５０の下面両端部に取り付けられており、読取装置本体５０が収容部材３０に収容されたときに、下端部が、収容部材３０の底壁３２の上面（底面）両端部に突設されたボス部３３に嵌められるようになっている。
【００３２】
なお、各コイルスプリング４８は、副走査方向から見て、各凸部６６の直下に配置されている。換言すれば、副走査方向から見て、各凸部６６は、各コイルスプリング４８の直上に配置されている。これにより、各スペーサー６０は、各コイルスプリング４８の付勢力（弾性復元力）により、上方へ向けて効率よく付勢されて原稿台１４の裏面に接触する構成になっている。したがって、読取装置本体５０は、各凸部６６により、原稿台１４に対する高さ方向の位置が精度よく位置決めされる。
【００３３】
また、図２に示されるように、筐体１２の内部には、読取装置本体５０（収容部材３０）を副走査方向へ移動させる移動機構２０が設けられている。詳細に説明すると、移動機構２０は、筐体１２内の前後方向略中央部に左右方向（副走査方向）を軸方向として設けられた円柱状の案内部材の一例としてのシャフト２２を有している。このシャフト２２は、左右の両端部が、筐体１２内の左右両端部に一体に形成された支持部１８に固定されており、読取装置本体５０が収容される収容部材３０を副走査方向（右方向）と、それとは逆の復帰方向（左方向）へ移動可能に支持している。
【００３４】
また、移動機構２０は、筐体１２内の右端部（シャフト２２の軸方向一端部）側に設けられたタイミングプーリ２４と、筐体１２内の左端部（シャフト２２の軸方向他端部）側に設けられたタイミングプーリ２６と、タイミングプーリ２４とタイミングプーリ２６とに、内周面に形成された噛合歯２８Ａを噛み合わせるようにして巻き掛けられた、移動部材の一例としてのタイミングベルト２８と、一方（例えば右側）のタイミングプーリ２４と同軸的に設けられ、そのタイミングプーリ２４を正逆両方向に回転駆動させる駆動モーター（図示省略）と、を有している。
【００３５】
したがって、駆動モーターの駆動により、タイミングプーリ２４が正逆両方向へ回転することで、タイミングベルト２８の前後一方側が副走査方向へ移動し、前後他方側が復帰方向へ移動するようになっている。つまり、タイミングベルト２８の前後一方側と前後他方側とは、互いに同期して反対方向に移動するようになっている。そして、収容部材３０は、例えば前側のタイミングベルト２８に取り付けられている。
【００３６】
詳細に説明すると、図３、図５に示されるように、ガイド部材４０に隣接する底壁３２の下面側における長手方向略中央部（ガイド部材４０の後側）には、タイミングベルト２８の噛合歯２８Ａと噛合させる固定部の一例としての噛合部３８が一体に形成されている。この噛合部３８は、矩形ブロック状に形成されており、その下端中央部には、タイミングベルト２８の厚さ以上の間隙が形成されている。そして、噛合部３８の間隙内における一方（本実施形態では後側）の内面には、噛合歯３８Ａが形成されている。
【００３７】
したがって、図３に示されるように、噛合部３８の間隙内にタイミングベルト２８の前側が挿入され、その前側の噛合歯２８Ａが噛合歯３８Ａに噛み合うことにより、収容部材３０が噛合部３８を介してタイミングベルト２８に、その周回方向で固定されるようになっている。これにより、タイミングベルト２８の移動に伴い、収容部材３０がシャフト２２及び支持台１７に支持されつつ副走査方向及び復帰方向へ移動するようになっている。
【００３８】
なお、図２に示されるように、タイミングベルト２８よりも後側の筐体１２内には、読取装置本体５０で読み取った画像データを送るためのフレキシブルケーブル３６が配設されており、そのフレキシブルケーブル３６の一端部３６Ａは、読取装置本体５０に接続されている。そして、このフレキシブルケーブル３６は、読取装置本体５０を収容した収容部材３０の移動に追従可能になっている。
【００３９】
＜第１実施形態＞
ここで、第１実施形態に係るガイド部材４０について詳細に説明する。図３〜図５に示されるように、このガイド部材４０は、シャフト２２との摺動性が良好な樹脂材の一例であるポリアセタール（ＰＯＭ）で成形されており、収容部材３０の底壁３２の下面側における長手方向略中央部に、図示しないビス等の締結具によって取り付けられている。したがって、図６に示されるように、ガイド部材４０の予め決められた複数（例えば４つ）の位置には、ビス等の締結具を通す孔部４１が形成されている。
【００４０】
また、ガイド部材４０には、シャフト２２の軸方向に延在する凹溝部４２が形成されており、図６、図７（Ｂ）に示されるように、凹溝部４２内の副走査方向における上流側端部には、その副走査方向から見て略逆「Ｕ」字状となる第１受部４４が一体に形成されている。そして、図３、図５〜図７（Ａ）に示されるように、凹溝部４２内の副走査方向における下流側端部には、その副走査方向から見て略逆「Ｖ」字状となる第２受部４６が一体に形成されている。
【００４１】
この凹溝部４２内における第１受部４４及び第２受部４６が、それぞれシャフト２２の外周面に上方から載せられることで、収容部材３０の長手方向略中央部がシャフト２２に支持されている。そして、第１受部４４は、図７（Ｂ）に示されるように、副走査方向から見て、シャフト２２の外周面に周方向の１点で接触する曲面接触部４５を有しており、第２受部４６は、図７（Ａ）に示されるように、副走査方向から見て、シャフト２２の外周面に周方向の２点で接触する一対の平面接触部４７を有している。
【００４２】
詳細に説明すると、図６、図７（Ｂ）に示されるように、第１受部４４は、副走査方向から見て、シャフト２２の曲率よりも小さい曲率とされた（シャフト２２の曲率半径よりも大きい曲率半径とされた）円弧面４４Ａを有しており、その円弧面４４Ａにおける最上端部が、シャフト２２の外周面における最上端部に接触する曲面接触部４５とされている。
【００４３】
一方、図６、図７（Ａ）に示されるように、第２受部４６は、副走査方向から見て、予め決められた角度で傾斜し、かつシャフト２２の中心を通る鉛直方向の直線に対して線対称となる一対の傾斜面４６Ａを有しており、各傾斜面４６Ａにおける一部が、それぞれシャフト２２の外周面における上部側に接触する平面接触部４７とされている。
【００４４】
また、図６に示されるように、ガイド部材４０には、凹溝部４２の外側に、その凹溝部４２（第１受部４４及び第２受部４６）を補強するための複数枚（例えば８枚）のリブ４３が一体に形成されている。なお、図７に示されるように、各リブ４３は、直角三角形状に形成されているが、この形状に限定されるものではない。
【００４５】
また、タイミングベルト２８は、可能な限りシャフト２２に近づけた方が、収容部材３０の移動精度向上のためには望ましい。したがって、図３、図５に示されるように、タイミングベルト２８が配設される側（後側）のリブ４３は、噛合部３８に干渉しないように、それとは反対側（前側）のリブ４３よりも小さく形成されている。
【００４６】
以上のような構成とされた第１実施形態に係るガイド部材４０を備えた画像読取装置１０において、次にその作用（読取装置本体５０（収容部材３０）の副走査方向への移動）について説明する。
【００４７】
原稿台１４に原稿を載せ、カバー体１６を閉じた後、図示しない操作パネルを操作することにより、原稿の読み取りが開始される。すなわち、読取装置本体５０を収容した収容部材３０が副走査方向へ移動する。ここで、ガイド部材４０の副走査方向下流側端部には、第２受部４６が形成されており、副走査方向から見て、その第２受部４６における一対の平面接触部４７が、シャフト２２の外周面にそれぞれ点接触している（図７（Ａ）参照）。
【００４８】
つまり、第２受部４６は、一対の平面接触部４７によって、シャフト２２に周方向の２点で接触している。したがって、ガイド部材４０（第２受部４６）は、シャフト２２に位置精度よく（平面視でシャフト２２の軸方向と交差する方向へずれることなく）支持される。よって、シャフト２２に沿って副走査方向へ移動するときの読取装置本体５０（収容部材３０）のがたつき（振動）が抑制又は防止される。
【００４９】
しかも、ガイド部材４０の副走査方向上流側端部には、第１受部４４が形成されており、副走査方向から見て、その第１受部４４における曲面接触部４５が、シャフト２２の外周面に周方向の１点で点接触している（図７（Ｂ）参照）。したがって、ガイド部材４０の成形上の誤差により、第１受部４４と第２受部４６とにおいて、シャフト２２の軸方向と交差する方向の位置がずれていても、第１受部４４によって、そのずれが許容される。
【００５０】
換言すれば、ガイド部材４０の成形上の誤差により、第１受部４４と第２受部４６とにおいて、シャフト２２の軸方向と交差する方向の位置がずれていても、平面視でシャフト２２に対してガイド部材４０（収容部材３０）が傾くことがない。よって、シャフト２２に沿って副走査方向へ移動するときの読取装置本体５０（収容部材３０）のがたつき（振動）が抑制又は防止される。つまり、読取装置本体５０を収容した収容部材３０は、副走査方向へスムーズに移動する。
【００５１】
＜第２実施形態＞
次に、第２実施形態に係るガイド部材４０について詳細に説明する。なお、第１実施形態に係るガイド部材４０と同等の部位には、同じ符号を付して詳細な説明（共通する作用も含む）は適宜省略する。
【００５２】
図８、図９に示されるように、このガイド部材４０は、一対の平面接触部４７（図１０参照）を有する第２受部４６が、シャフト２２の軸方向において、副走査方向の下流側端部だけではなく、噛合部３８と重なる（オーバーラップする）位置にも形成されている。つまり、このガイド部材４０には、一対の平面接触部４７が複数組（２組）形成されている。
【００５３】
このような構成のガイド部材４０にすれば、シャフト２２に更に位置精度よく（平面視でシャフト２２の軸方向と交差する方向へずれることなく）支持されるので、シャフト２２に沿って副走査方向へ移動するときの読取装置本体５０（収容部材３０）のがたつき（振動）が更に抑制又は防止される。
【００５４】
なお、第２受部４６の副走査方向から見た形状は、略逆「Ｖ」字状に限定されるものではなく、例えば図１０に示されるような形状とされてもよい。すなわち、一対の平面接触部４７の間における第２受部４６の最上端部が、シャフト２２の外周面における最上端部に非接触な平坦面４６Ｂ（図８、図９も参照）とされた形状とされてもよい。
【００５５】
また、第２受部４６、即ち一対の平面接触部４７は、シャフト２２の軸方向において、噛合部３８から（噛合部３８を含む）副走査方向下流側の領域に少なくとも１組形成されていればよく、特に凹溝部４２内（ガイド部材４０）における副走査方向下流側端部に少なくとも形成されることが望ましい。
【００５６】
また、第１受部４４、即ち曲面接触部４５は、シャフト２２の軸方向において、噛合部３８よりも（噛合部３８を除く）副走査方向上流側の領域に少なくとも１つ形成されていればよい。つまり、ガイド部材４０には、第２受部４６だけではなく、第１受部４４と第２受部４６の両方が形成されることが望ましい。
【００５７】
以上、本実施形態に係る画像読取装置１０について図面を基に説明したが、本実施形態に係る画像読取装置１０は、図示のものに限定されるものではなく、本発明の要旨を逸脱しない範囲内において適宜設計変更可能なものである。例えば、収容部材３０を移動させる移動部材は、タイミングベルト２８に限定されるものではないし、移動部材に固定される固定部も、タイミングベルト２８に噛合される噛合部３８に限定されるものではない。
なお、本願の原出願における分割直前の[特許請求の範囲]及び[発明の効果]に記載の事項は、以下の通りである。
［請求項１］
原稿台に載せられた原稿を読み取る読取装置本体と、
前記読取装置本体を収容し、前記原稿を読み取るときに、円柱状の案内部材に下方から支持されて前記原稿の一端部から他端部へ移動する収容部材と、
前記収容部材に形成され、該収容部材を移動させるための移動部材に固定された固定部と、
前記収容部材の長手方向略中央部に設けられ、前記収容部材の移動方向から見て、前記案内部材に周方向の２点で接触する一対の平面接触部が、前記案内部材の軸方向において、前記固定部から前記原稿を読み取るときの前記収容部材の移動方向下流側の領域に形成された被案内部材と、
を備え、
前記被案内部材は、前記収容部材の移動方向から見て、前記案内部材に周方向の１点で接触する曲面接触部を有し、該曲面接触部が、前記案内部材の軸方向において、前記固定部よりも前記原稿を読み取るときの前記収容部材の移動方向上流側の領域に形成されている画像読取装置。
［請求項２］
前記一対の平面接触部は、前記被案内部材の少なくとも前記移動方向下流側端部に形成されている請求項１に記載の画像読取装置。
［請求項３］
前記被案内部材は、前記一対の平面接触部を複数組有し、そのうちの１組が、前記案内部材の軸方向において、前記固定部と重なる位置に形成されている請求項１又は請求項２に記載の画像読取装置。
［請求項４］
前記被案内部材は、前記案内部材の軸方向に延在するとともに前記平面接触部及び前記曲面接触部を有する凹溝部を備え、
前記凹溝部の外側に、該凹溝部を補強する複数のリブが形成されるとともに、前記移動部材側のリブが、それとは反対側のリブよりも小さく形成されている請求項１〜請求項３の何れか１項に記載の画像読取装置。
請求項１に記載の発明によれば、案内部材に周方向の２点で接触する一対の平面接触部が、案内部材の軸方向において、固定部から原稿を読み取るときの収容部材の移動方向下流側の領域に形成されていない構成に比べて、読取装置本体を収容した収容部材の移動時のがたつきを抑制することができる。また、案内部材に周方向の１点で接触する曲面接触部が、案内部材の軸方向において、固定部よりも原稿を読み取るときの収容部材の移動方向上流側の領域に形成されていない構成に比べて、平面接触部と曲面接触部とが、成形上の誤差により、案内部材の軸方向と交差する方向にずれた場合でも、読取装置本体を収容した収容部材の移動時のがたつきを抑制することができる。
請求項２に記載の発明によれば、一対の平面接触部が、被案内部材における収容部材の移動方向下流側端部に形成されていない構成に比べて、読取装置本体を収容した収容部材の移動時のがたつきを抑制することができる。
請求項３に記載の発明によれば、複数組形成された一対の平面接触部のうちの１組が、案内部材の軸方向において、固定部と重なる位置に形成されていない構成に比べて、読取装置本体を収容した収容部材の移動時のがたつきを抑制することができる。
請求項４に記載の発明によれば、移動部材側のリブが、それとは反対側のリブよりも小さく形成されていない構成に比べて、固定部に干渉することなく、凹溝部を補強することができる。
本開示の第９の態様に係る画像読取装置は、原稿台に載せられた原稿を読み取る読取装置本体と、前記読取装置本体を収容し、前記原稿を読み取るときに、円柱状の案内部材に下方から支持されて前記原稿の一端部から他端部へ移動する収容部材と、前記収容部材の底の下面側に締結具によって締結され、摺動性が良い樹脂を含んで構成され、前記案内部材に接触する接触部を有する被案内部材と、を備えている。
本開示の第１０の態様に係る画像読取装置は、前記被案内部材は、前記原稿を読み取るときの移動方向における上流側で前記案内部材に接触する上流側接触部と前記移動方向における下流側で前記案内部材に接触する下流側接触部とを有する。
本開示の第１１の態様に係る画像読取装置は、前記上流側接触部と前記下流側接触部とは、一体に形成されている。
本開示の第１２の態様に係る画像読取装置は、前記締結具は、前記上流側接触部よりも前記移動方向における下流側に配置されている。
本開示の第１３の態様に係る画像読取装置は、前記締結具は、前記移動方向における前記上流側接触部と前記下流側接触部との間に配置されている。
本開示の第１４の態様に係る画像読取装置は、前記被案内部材は、前記移動方向における前記下流側接触部よりも下流側において、前記締結具とは異なる締結具によって前記収容部材の底の下面側に、締結されている。
本開示の第１５の態様に係る画像読取装置は、前記締結具は、前記原稿を読み取るときの移動方向における、互いに異なる位置に複数設けられている。
本開示の第１６の態様に係る画像読取装置は、前記収容部材は、前記収容部材を移動させるための移動部材に固定された固定部を備え、前記固定部と前記被案内部材とは別体として形成されている。
本開示の第１７の態様に係る画像読取装置は、前記収容部材は、前記移動方向における上流側に、前記移動方向に向けた壁面を有する壁部を有し、前記移動方向における前記上流側接触部と前記壁部との間を連結する支持部を有する。
本開示の第１８の態様に係る画像読取装置は、前記上流側接触部と前記下流側接触部とで前記案内部材に接触する箇所の個数は互いに異なる。
本開示の第１９の態様に係る画像読取装置は、前記被案内部材はポリアセタールを含んで構成されている。
本開示の第２０の態様に係る画像読取装置は、前記読取装置本体に取り付けられ、前記原稿台に接することで前記読取装置本体の高さ方向の位置決めがされる凸部を備えている。
本開示の第９〜第２０の態様に係る画像読取装置は、読取装置本体を収容した収容部材の移動時のがたつきを抑制できる画像読取装置を得ることを目的とする。
【符号の説明】
【００５８】
１０  画像読取装置
１４  原稿台
２２  シャフト（案内部材の一例）
２８  タイミングベルト（移動部材の一例）
３０  収容部材
３８  噛合部（固定部の一例）
４０  ガイド部材（被案内部材の一例）
４５  曲面接触部
４７  平面接触部
５０  読取装置本体
【図１】
2020188506.tif 000003
【図２】
2020188506.tif 000004
【図３】
2020188506.tif 000005
【図４】
2020188506.tif 000006
【図５】
2020188506.tif 000007
【図６】
2020188506.tif 000008
【図７】
2020188506.tif 000009
【図８】
2020188506.tif 000010
【図９】
2020188506.tif 000011
【図１０】
2020188506.tif 000012